(57)【要約】【課題】チューリップを非電動式とし、かつ開閉動作に非予測性を付与する。【解決手段】遊技盤１０２に対して回動自在に軸支された風車１２６と、入賞口１１６への入賞率を変更させる可動片開閉装置１２０が含まれ、可動片開閉装置は、一端が可動片１６０に連結され、遊技盤に対し軸支されるシャフト部材１６２と、シャフト部材の回動により可動片の開閉動作を行わせる当接部材１６４と、上昇移動した際に当接部材と当接する昇降移動部材１６６と、昇降移動部材の昇降動作を案内する昇降案内部１６８と、風車支持軸１２６ａの裏面側端部１２６ａ1に一端が巻回可能に固定され、他端が昇降案内部の上昇移動の上限を規制する上限規制点１７４ａより上側に固定される綱状部材１７０と、を備え、綱状部材の両端間の一部が昇降案内部に係合し、綱状部材の風車の支持軸の裏面側端部への巻き取り状態に連動して、昇降移動部材が昇降移動する。【選択図】図４
2009045107.tif 000002
【特許請求の範囲】
【請求項１】
打ち出された遊技球が流下する遊技盤の前面の遊技領域に設けられた入賞口への前記遊技球の入賞を契機に所定の遊技価値を付与する遊技機であって、
前記遊技領域には、
前記遊技盤に対して回動自在に軸支され、流下した遊技球と当接した際に回転して、該遊技球の流下方向に変化を付与する風車と、
前記入賞口の開口部側に基端部が軸支された可動片を開閉動作させることによって、該入賞口への入賞率を変更させる可動片開閉装置が含まれ、
前記可動片開閉装置は、
一端が前記可動片の基端部に連結され、他端が前記遊技盤の裏面に突出され、前記遊技盤に対し軸支されるシャフト部材と、
前記シャフト部材の他端に設けられ、前記シャフト部材を回動させて前記可動片の開閉動作を行わせる当接部材と、
略鉛直方向に昇降移動可能とし、上昇移動した際に前記当接部材と当接する昇降移動部材と、
前記昇降移動部材を昇降させるように案内する昇降案内部と、
前記風車の支持軸の前記遊技盤の裏面に突出される裏面側端部に一端が巻回可能に固定され、他端が前記昇降案内部の上昇移動の上限を規制する上限規制点より少なくとも上側に固定される綱状部材と、を備え、
前記綱状部材の両端間の一部が前記昇降案内部に係合し、前記綱状部材の前記風車の支持軸の前記裏面側端部への巻き取り状態に連動して、前記昇降移動部材が昇降移動することを特徴とする遊技機。
【請求項２】
前記昇降案内部は、前記昇降移動部材の昇降移動範囲を規制するガイド溝と、前記ガイド溝から略鉛直に突出して該ガイド溝に沿って昇降移動が可能な支軸部と、前記支軸部の先端側に設けられ、前記綱状部材の一定方向への移動を可能とした状態で前記綱状部材の両端間の一部に係合する綱状部材係合部と、を備え、
前記昇降移動部材は、前記綱状部材が前記風車の支持軸の前記裏面側端部に巻き取られる動作に連動して昇降する前記綱状部材係合部に支持されることによって、昇降移動することを特徴とする請求項１に記載の遊技機。
【請求項３】
前記可動片およびシャフト部材は、それぞれ所定間隔を設けて並列するように一対備わり、
前記昇降移動部材は、前記シャフト部材間を通過するように上昇移動可能とし、
前記可動片は、前記昇降移動部材と前記当接部材が当接していない状態時には、略鉛直方向に起立し、前記昇降移動部材が上昇して前記当接部材に当接することによって、略逆ハの字状に上側が開放されることを特徴とする請求項１または２に記載の遊技機。
【請求項４】
前記昇降移動部材または前記昇降案内部の少なくとも何れか一方は、重量を調整するための錘部材が着脱可能なことを特徴とする請求項１〜３の何れか１項に記載の遊技機。
【請求項５】
前記綱状部材の前記一端から前記昇降移動部材の下端側を掛止する部位までの間に前記綱状部材の張力を維持するための張力調整部材が設けられることを特徴とする請求項１〜４の何れか１項に記載の遊技機。
【発明の詳細な説明】
【技術分野】
【０００１】
本発明は、パチンコ機等の弾球式の遊技機に関し、特に、遊技球（以下、パチンコ球と称する。）の入賞によって、遊技者に有利な遊技を実行するか否かを決定するための大当たり抽選を実行開始させる始動入賞口等の入賞口へのパチンコ球の入賞を補助する可動片を開閉動作させる可動片開閉装置に関する。
【背景技術】
【０００２】
液晶等の画像表示装置の画面上で数字やマーク等の特定図柄をスクロールする変動表示によって、リーチや大当たり、確率変動等の様々な演出が凝らされているデジパチと呼ばれる所謂第１種パチンコ機が広く知られている。デジパチタイプのパチンコ機は、遊技盤に設けられている始動入賞口にパチンコ球を入賞させると、大当たりを決定するための乱数を利用した電子抽選が行われる。当該電子抽選によって、大当たりに当選すると、アタッカと呼ばれる開閉装置が作動し、この開閉装置に設けられた開閉板が開くことによって、通常では、塞がれている大入賞口が現れる。遊技盤に対して開放された開閉板は、大入賞口の周辺を流下するパチンコ球を受け、パチンコ球が大入賞口に入賞することを補助する。開閉板が開くと、打ち出したパチンコ球の大半が大入賞口に入賞し易くなり、遊技者は、多数の賞球を獲得することができる有利な遊技が行える。
【０００３】
始動入賞口には、電動チューリップと呼ばれ、始動入賞口にパチンコ球が入賞することを補助する可動片を開閉させる装置が設けられている。電動チューリップは、大当たり抽選と異なる小当たり抽選に当選すると可動片を開放し、開放された可動片が始動入賞口の周辺を落下するパチンコ球を受けてパチンコ球を始動入賞口に誘導するものであり、始動入賞口にパチンコ球を入賞し易くする。一方、電動チューリップが閉じているときには、パチンコ球を始動入賞口へ入賞し難くする。電動チューリップを開くか否かを決める小当たり抽選は、通常では、遊技盤に設けられた通過入賞口をパチンコ球が通過したことを契機に実行される。
【０００４】
パチンコ球が始動入賞口に入賞すると、例えば、画像表示装置の画面上で数字やマークなどの特定図柄をスクロールする変動表示が行われる。大当たりが決定した際には、変動表示の終了時に、例えば「７７７」のように、同じ数字や図柄が揃い、ハズレが決定した際には、同じ数字等の順列が表示されないようになっている。
【０００５】
また、遊技盤には、これらの入賞口やアウト口、電動チューリップの他にも、パチンコ球と衝突してその落下経路を様々に変化させる障害釘や、落下するパチンコ球の勢いを利用して回転する風車等の構造物が設けられ、遊技盤を装飾し、遊技の難易度や面白味を決定する要素となっている。
【０００６】
このようなデジパチタイプのパチンコ機の遊技盤に設けられる電動チューリップとして、ソレノイドによって開閉操作される可動片の連動ピンに対する負荷を抑えてその強度を下げることを可能にして、製造性を高めるようにした電動チューリップが特許文献１に開示されている。
【特許文献１】特開２００６−６８０６１号公報
【発明の開示】
【発明が解決しようとする課題】
【０００７】
しかしながら、上記のパチンコ機における電動チューリップによる開口部の開閉動作は、電子制御されているものである。即ち、開口部に入賞したパチンコ球の個数は、計数センサによってカウントされ、所定の個数に達するか、または入賞タイミングに応じた抽選で当選すると、ソレノイドが励磁し、開閉扉となる可動片を一時的に開放させた後に、閉めるように制御されているものである。電動チューリップをこのようなソレノイドや計数センサ等を含める構成とするためには、電動チューリップは、ある程度の大きさを要することとなる。このため、パチンコ機の設計の自由度を低減させ、また、制御設計を含む製造コストや遊技を維持するための消費電力等のランニングコストを要するものとなっていたことが課題となっていた。
【０００８】
そこで、本発明は、従来の遊技機が有する上記問題点に鑑みてなされたものであり、本発明の目的は、入賞口へのパチンコ球の入賞を補助する可動片を備える可動片開閉装置の電気的な制御を不要とし、かつ可動片の開閉動作に意外性、非予測性、変化を付与して遊技の単純作業化を防ぐことの可能な、新規かつ改良された遊技機を提供することである。
【課題を解決するための手段】
【０００９】
上記課題を解決するために、本発明のある実施の態様によれば、打ち出された遊技球が流下する遊技盤の前面の遊技領域に設けられた入賞口への遊技球の入賞を契機に所定の遊技価値を付与する遊技機であって、遊技領域には、遊技盤に対して回動自在に軸支され、流下した遊技球と当接した際に回転して、この遊技球の流下方向に変化を付与する風車と、入賞口の開口部側に基端部が軸支された可動片を開閉動作させることによって、この入賞口への入賞率を変更させる可動片開閉装置が含まれ、可動片開閉装置は、一端が可動片の基端部に連結され、他端が遊技盤の裏面に突出され、遊技盤に対し軸支されるシャフト部材と、シャフト部材の他端に設けられ、シャフト部材を回動させて可動片の開閉動作を行わせる当接部材と、略鉛直方向に昇降移動可能とし、上昇移動した際に当接部材と当接する昇降移動部材と、昇降移動部材を昇降させるように案内する昇降案内部と、風車の支持軸の遊技盤の裏面に突出される裏面側端部に一端が巻回可能に固定され、他端が昇降案内部の上昇移動の上限を規制する上限規制点より少なくとも上側に固定される綱状部材と、を備え、綱状部材の両端間の一部が昇降案内部に係合し、綱状部材の風車の支持軸の裏面側端部への巻き取り状態に連動して、昇降移動部材が昇降移動することを特徴とする遊技機が提供される。
【００１０】
このような構成とすることにより、パチンコ球が風車に当接した際に生じる風車の回転動作に連動して、昇降移動部材が昇降動作するので、昇降移動部材が昇降移動した際の当該昇降移動部材のシャフト部材への当接の有無により、可動片を開閉動作させられるようになる。すなわち、始動入賞口等の入賞口への入賞率を変更する可動片開閉装置となるチューリップを非電動式で可動片の開閉を可能とする。このため、チューリップの開閉動作の電気的な制御が不要となることによって、チューリップにソレノイドや計数センサ等を含めない構成とすることが出来るので、チューリップのサイズをコンパクトにし、パチンコ機の設計の自由度の確保した上で、製造コストや遊技を維持するための消費電力等のランニングコストを抑制出来るようになる。
【００１１】
また、風車にパチンコ球が当たる度に、風車の回転速度や回転方向が変更されるので、当該変更に伴って、チューリップの開閉状態も変更されるようになる。このため、チューリップの可動片の開閉動作の変化に、意外性、非予測性、変化を付与することによって、入賞口への入賞率を変更できるので、遊技の単純化が抑制されて、遊技者の興味が削がれてしまうのを防止して、遊技性の向上が見込まれる。
【００１２】
このとき、上記実施の態様において、昇降案内部は、昇降移動部材の昇降移動範囲を規制するガイド溝と、ガイド溝から略鉛直に突出して当該ガイド溝に沿って昇降移動が可能な支軸部と、支軸部の先端側に設けられ、綱状部材の一定方向への移動を可能とした状態で綱状部材の両端間の一部に係合する綱状部材係合部と、を備え、昇降移動部材は、綱状部材が風車の支持軸の裏面側端部に巻き取られる動作に連動して昇降する綱状部材係合部に支持されることによって、昇降移動することとしてもよい。
【００１３】
このような構成とすることにより、所定の長さを有する昇降移動部材がシャフト部材の当接部材と当接するまで綱状部材係合部を移動させることによって、可動片を開放させるので、より安定した可動片の開閉動作が可能となる。
【００１４】
このとき、上記実施の態様において、可動片およびシャフト部材は、それぞれ所定間隔を設けて並列するように一対備わり、昇降移動部材は、シャフト部材間を通過するように上昇移動可能とし、可動片は、昇降移動部材と当接部材が当接していない状態時には、略鉛直方向に起立し、昇降移動部材が上昇して当接部材に当接することによって、略逆ハの字状に上側が開放されることとしてもよい。
【００１５】
可動片開閉装置となるチューリップを具体的にこのような構成とすることによって、風車の回転に連動して、チューリップの開閉動作が実行されるようになるので、チューリップを非電動式にすることが可能となる。
【００１６】
このとき、上記実施の態様において、昇降移動部材または昇降案内部の少なくとも何れか一方は、重量を調整するための錘部材が着脱可能なこととしてもよい。
【００１７】
このような構成とすることにより、風車にパチンコ球が当たらないことによって風車が回転しないときには、昇降移動部材が重力によって確実に下降するようになるので、一旦、開放されたチューリップが開放されたままとなることを事前に防止出来るようになる。
【００１８】
このとき、上記実施の態様において、綱状部材の一端から昇降移動部材の下端側を掛止する部位までの間に綱状部材の張力を維持するための張力調整部材が設けられることとしてもよい。
【００１９】
このように、プーリ等の張力調整部材で綱状部材の張力が維持されるようにすることによって、風車の回転力が確実に昇降移動部材に伝達されるようになるので、非電動式によるチューリップの開閉動作が確実に実行されるようになる。
【発明の効果】
【００２０】
以上説明したように、本発明によれば、可動片開閉装置となるチューリップを風車の回転動作に連動して、開閉動作をする非電動式とすることによって、チューリップの開閉動作の電気的な制御が不要となる。このため、パチンコ機の設計の自由度の確保した上で、製造コストや遊技を維持するための消費電力等のランニングコストを抑制されるようになる。
【００２１】
また、風車の回転速度や回転方向の変更に伴って、チューリップの開閉状態も変更されるようになるので、それに伴って始動入賞口等の入賞口への入賞率も変更され、遊技の単純化が抑制されて、遊技性の向上が見込まれる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
まず、本発明に係る遊技機が適用される弾球式の遊技機であるパチンコ機の第１の実施の形態の構成について図面を使用しながら説明する。図１は、本実施の形態におけるパチンコ機の外観を示す斜視図であり、図２は、本実施の形態のパチンコ機の遊技盤を示す正面図である。
【００２４】
パチンコ機１００には、図１に示すように、パチンコ球が打ち出される遊技盤１０２が組み込まれ、遊技盤１０２の前面側には、ガラス窓１０４が設けられた前面扉１０６が設けられている。遊技盤１０２には、複数の入賞口やパチンコ球の経路を変化させる障害釘や各種の構造物が設けられている。打ち出されたパチンコ球は、これらの構造物と衝突等しながら遊技盤１０２の盤面上を流下する。パチンコ球の動きは、ガラス窓１０４を通して視認可能となる。
【００２５】
前面扉１０６の下方には、図１に示すように、打ち出すパチンコ球を入れておくための供給皿１０８と、パチンコ球を打ち出す際に操作される操作ハンドル１１０が設けられている。供給皿１０８は、打ち出したパチンコ球が入賞した時に賞球として払い出されるパチンコ球を受けるためにも使用される。操作ハンドル１１０は、回す角度の大きさによってパチンコ球を打ち出す強さを調節できる。
【００２６】
遊技盤１０２は、図２に示すように、その盤面上にガイドレール１１２が設けられ、ガイドレール１１２に囲まれた領域が遊技領域１０２ａとなる。遊技領域１０２ａの中央部には、液晶表示パネル等からなる特別図柄表示部１１４４が設けられている。
【００２７】
特別図柄表示部１１４の下には、始動入賞口１１６、開閉板１１７、アウト口１１８が設けられている。始動入賞口１１６の開口部側には、一対の可動片１６０を開閉動作させることによって、パチンコ球の始動入賞口１１６への入賞率を変更させる可動片開閉装置となるチューリップ１２０が設けられている。特別図柄表示部１１４の両サイド側には、それぞれ通過入賞口１２２が設けられている。遊技領域１０２ａの左下部と右下部には、４つの通常入賞口１２４が設けられている。始動入賞口１１６または通常入賞口１２４にパチンコ球が入ると、予め決められた個数のパチンコ球が賞球として払い出される。アウト口１１８にパチンコ球が入った場合は、賞球の払い出しは、行われない。
【００２８】
また、遊技盤１０２の遊技領域１０２ａには、パチンコ球を不規則に流下させる障害の役目を持つ複数の釘（図示せず）や、パチンコ球が衝突して回転することによってパチンコ球の流下方向に変化を付与する風車１２６が複数設けられている。本実施の形態では、これらの風車１２６のうちの何れか１つは、パチンコ球が衝突して回転することによって、チューリップ１２０の開閉動作の契機を付与する。なお、風車１２６の回転動作に連動するチューリップ１２０の開閉動作に関しては、後述する。
【００２９】
始動入賞口１１６にパチンコ球が入ると、賞球の払い出しに加え、大当たりを決めるための大当たり抽選が行われる。この大当たり抽選に当選すると、始動入賞口１１６とアウト口１１８の間に設けられた開閉板１１７に開閉動作を行わせるアタッカ装置１４６（図３参照）が作動する。開閉板１１７が開くと、通常では、塞がれている不図示の大入賞口が現れる。開閉板１１７は、アウト口１１８に向かって流下する途中のパチンコ球を受け、大入賞口にパチンコ球が入賞することを補助する。大入賞口にパチンコ球が入賞したときの賞球数は、全ての入賞口の中で最も多く、開閉板１１７が開くことにより、打ち出したパチンコ球の大半が大入賞口に入賞し、多数の賞球が得られることになる。
【００３０】
大当たり抽選の当否の結果は、特別図柄表示部１１４に表示される。特別図柄表示部１１４には、例えば、１列が０〜９の数字からなる３列の特別図柄が表示される。始動入賞口１１６にパチンコ球が入賞すると、３列の特別図柄が上から下へ向かってスクロールする変動表示が開始される。特別図柄のスクロールは、１列ずつ順次終了し、全ての図柄が停止したときに、３つの同じ図柄が一直線状に揃っていると当たり、それ以外では、ハズレとなる。３つの同じ図柄が一直線状に揃うためには、２つの同じ図柄が揃う状態、すなわち、残り１つの図柄が揃えば当たりとなるリーチ状態を経由する。リーチ状態になると、特別図柄表示部１１４には、通常時に表示されている画像に加えて、当たりの信頼度を示す演出画像が表示され、当たりの信頼度が遊技者に告知される。
【００３１】
通過入賞口１２２の何れかをパチンコ球が通過すると、例えば、通常入賞口１２４にパチンコ球が入った場合よりも多い個数のパチンコ球が賞球として払い出される等の所定の遊技価値を付与する小当たり抽選が行われる。小当たり抽選の結果は、特別図柄表示部１１４の上に設けられた普通図柄表示部１２８により表示される。普通図柄表示部１２８は、本実施の形態では、当たりを示す「○」またはハズレ示す「×」の普通図柄を背後のランプを点灯させて表示する。普通図柄表示部１２８は、「○」または「×」を交互に点灯させる変動表示を行い、最後に「○」または「×」の何れかを点灯することによって小当たり抽選の結果を表示する。
【００３２】
普通図柄表示部１２８の左側と右側にはそれぞれ２個ずつ、合計４個の特別保留入賞表示ランプ１３０が設けられている。また、普通図柄表示部１２８の間の位置に、４個の普通保留入賞表示ランプ１３２が設けられている。特別保留入賞表示ランプ１３０と普通保留入賞表示ランプ１３２は、始動入賞口１１６、通過入賞口１２２にパチンコ球が入賞した際に発生する保留入賞の回数をそれぞれ表示する。保留入賞とは、図柄の変動表示中に始動入賞口１１６、通過入賞口１２２にパチンコ球が入賞したことを契機に行われた大当たり抽選、小当たり抽選の情報が記憶され、その抽選結果の表示が保留されるものである。保留入賞の回数は、抽選情報の表示が保留された入賞の回数を表す。
【００３３】
始動入賞口１１６への入賞により発生する特別保留入賞の回数と、通過入賞口１２２への入賞により発生する普通保留入賞の回数は、本実施の形態では、共に最大で４回の入賞分まで記憶される。すなわち、それぞれの図柄の変動表示中に始動入賞口１１６または通過入賞口１２２への入賞が発生した場合でも、大当たり抽選、小当たり抽選を受ける権利が４回分まで保障される。特別保留入賞の回数が４回に達した状態で始動入賞口１１６にパチンコ球が入賞した場合には、大当たり抽選の情報は、記憶されず、大当たり抽選を受ける権利は、無効となる。また、普通保留入賞の回数が４回に達した状態で通過入賞口１２２にパチンコ球が入賞した場合も同様であり、小当たり抽選を受ける権利は、無効となる。
【００３４】
特別保留入賞表示ランプ１３０は、特別図柄表示部１１４による図柄の変動表示中に、１個のパチンコ球が始動入賞口１１６に入る度にランプを１つ点灯し、最大４つのランプが点灯する。また、１回の大当たり抽選の結果が表示された後、特別図柄の次の変動表示が開始されるとランプを１つ消灯する。同様に、普通保留入賞表示ランプ１３２は、普通図柄表示部１２８による図柄の変動表示中に、１個のパチンコ球が通過入賞口１２２に入る度にランプを１つ点灯し、最大４個のランプが点灯する。また、１回の小当たり抽選の結果が表示され、次の普通図柄の変動表示が開始されるとランプを１つ消灯する。遊技者は、点灯したランプの数からそれぞれの保留入賞数を確認でき、大当たり抽選と小当たり抽選の各抽選結果の表示が終了するのを待つことなくパチンコ球を打ち続けることができる。
【００３５】
次に、本実施の形態の遊技機の電気制御系について、図面を参照しながら説明する。図３は、本実施の形態のパチンコ機の各種機能および遊技を制御する電気制御系の一例を示すブロック図である。
【００３６】
制御部１４０は、パチンコ機１００に設けられた各種センサの検知信号を受け、予めプログラムされた手順に従って、各部の動作を制御するための制御信号を送る。
【００３７】
始動口センサ１４１は、始動入賞口１１６に入ったパチンコ球を検知し、制御部１４０に始動入賞検知信号を送る。通過口センサ１４２は、通過入賞口１２２にそれぞれ設けられ、通過入賞口１２２に入ったパチンコ球を検知し、制御部１４０に通過入賞検知信号を送る。通常口センサ１４３は、通常入賞口１２４にそれぞれ設けられ、通常入賞口１２４に入ったパチンコ球を検知し、制御部１４０に通常入賞検知信号を送る。大入賞口センサ１４４は、開閉板２１が開いて大入賞口に入ったパチンコ球を検知し、アタッカ入賞検知信号を制御部１４０に送る。なお、各センサは、入賞口の数と同じ数が設けられているが、図面上では、これを省略している。
【００３８】
賞球払い出し装置１４５は、制御部１４０からの賞球払い出し信号に示される数のパチンコ球を賞球として払い出す。制御部１４０は、始動入賞検知信号、通常入賞検知信号、アタッカ入賞検知信号の受信時に払い出し信号を出力し、それぞれの入賞の種別に応じて、例えば、４個、１０個、１５個の賞球の払い出しを賞球払い出し装置１４５に命令する。
【００３９】
アタッカ装置１４６は、大当たり抽選に当選すると、始動入賞口１１６とアウト口１１８の間に設けられた開閉板１１７に開閉動作を行わせることによって、通常では、塞がれている大入賞口に流下するパチンコ球が入賞することを補助する。
【００４０】
電子抽選部１４７は、例えば、０〜６５５３５の範囲の乱数を発生させる乱数発生器と、乱数発生器から１つの乱数を抽出する乱数抽出回路とからなる。電子抽選部１４７は、制御部１４０から送られる抽選実行命令を受け、抽出された１つの乱数を大当たり判定部１４８または小当たり判定部１４９に出力する。
【００４１】
大当たり判定部１４８は、乱数発生器により発生する全ての乱数範囲について当たりとハズレを割り当てた大当たり判定テーブルを有している。制御部１４０は、始動入賞検知信号を受けて、電子抽選部１４７に抽選実行命令を送り、電子抽選部１４７は、抽出された乱数を大当たり判定部１４８に送る。大当たり判定部１４８は、抽出された乱数が当たりか否かを判定し、その判定結果を大当たり抽選の結果として制御部１４０に送る。
【００４２】
小当たり判定部１４９は、電子抽選部１４７から送られた乱数が当たりか否かを判定するための小当たり判定テーブルを有している。電子抽選部１４７は、通過入賞検知信号を受信した制御部１４０からの抽選実行命令を受け、小当たり判定部１４９に乱数を送る。小当たり判定部１４９は、乱数の当否を判定し、その判定結果を小当たり抽選の結果として制御部１４０に送る。
【００４３】
抽選情報記憶部１５０は、特別保留入賞、普通保留入賞がそれぞれ発生した時に、電子抽選部１４７から出力された乱数値と、この乱数値が大当たり判定部１４８または小当たり判定部１４９で判定されることによって得られた当否の結果を示す抽選情報を記憶する。記憶された抽選情報は、特別図柄、普通図柄のそれぞれの変動表示が１回終了するごとに読み出され、読み出された抽選情報は、消去される。
【００４４】
保留入賞計数部１５１は、特別保留入賞、普通保留入賞がそれぞれ発生した時に、保留入賞数記憶部１５２に記憶された特別保留入賞の回数、普通保留入賞の回数を１加算する。また、特別図柄、普通図柄のそれぞれの変動表示が１回終了し、次の抽選情報がそれぞれ読み出される度に、特別保留入賞の回数、普通保留入賞の回数を１減算する。
【００４５】
保留入賞数判定部１５３は、保留入賞数記憶部１５２を参照し、特別保留入賞と普通保留入賞の発生回数が０回であるか否か、または４回であるか否かを判定することにより、各保留入賞の発生回数を監視する。
【００４６】
演出選択部１５４は、大当たり抽選を行う際に抽出された乱数を使用し、大当たり抽選の結果を示す特別図柄の順列パターンと、特別図柄の変動表示が行われる変動時間とを選択する。特別図柄の順列パターンには、「７７７」のように大当たり時に選択される３つの同じ数字が揃った組み合わせと、「７３２」「１８１」のように、ハズレ時に選択される３つの同じ数字が揃わない組み合わせとがある。なお、ハズレ時の場合にも、「７３１」「１５２」のように、同じ数字が全く揃わない完全なハズレを示す順列パターンと、「１８１」「２５２」のように、左右両側の２つの数字が揃ったリーチ目の順列パターンとがあり、リーチ目の順列パターンは、選択される確率が低く設定されている。
【００４７】
特別図柄の変動表示が行われる変動時間は、１０秒、１５秒、３０秒等のように、予めその長さが決められた複数の種類があり、変動時間が長くなるほど大当たり時に選択される確率が高く、変動時間が短くなるほどハズレ時に選択される確率が高くなる。演出情報記憶部１５５には、特別図柄の数字を示す画像データと、特別図柄の動きを規定する変動パターンデータと、特別図柄の背景として表示される演出画像の動画データが記憶されている。制御部１４０は、演出選択部１５４により選択された各種データを読み出し、特別図柄表示部１１４に特別図柄と演出画像を表示する。
【００４８】
このような電気制御系を備えるパチンコ機１００で遊技を行う際には、供給皿６にパチンコ球を供給すると、パチンコ球は、パチンコ機１００の内部に備わる不図示の発射装置に送られる。そして、操作ハンドル７を回すと、不図示の発射装置によって遊技盤１０２の遊技領域１０２ａに向けてパチンコ球が１個ずつ打ち出される。パチンコ球は、障害釘や風車１２６等に衝突しながら遊技領域１０２ａを落下し、始動入賞口１１６、アウト口１１８、通常入賞口１２４の何れかに入り、その途中でパチンコ球の幾つかが通過入賞口１２２を通過する。
【００４９】
また、本実施の形態では、始動入賞口１１６の開口部側に設けられるチューリップ１２０が風車１２６の回転動作に連動して、可動片１６０の開閉動作を実行する非電動式の可動片開閉装置であるので、チューリップ１２０の開閉動作の電気的な制御が不要となる。
【００５０】
次に、本実施の形態のパチンコ機に備わる可動片開閉装置となるチューリップの構成および動作機構について図面を使用しながら説明する。図４は、本実施の形態における可動片開閉装置となるチューリップの概略構成および動作機構を説明するために、遊技盤の裏面側から見た斜視図であり、図５は、本実施の形態におけるチューリップを開放させた際の動作機構を説明するために、遊技盤の裏面側から見た斜視図であり、図６は、本実施の形態の風車およびチューリップを設けた遊技領域の要部の部分的な断面図である。なお、図４、図５、および図６において、説明に不要な部材は適宜省略してある。
【００５１】
本実施の形態では、チューリップ１２０は、遊技盤１２０の前面側の遊技領域１０２ａに所定間隔を設けて並列するように設けられる一対の可動片１６０と、それぞれの可動片１６０ごとに連結されて設けられる一対のシャフト部材１６２と、シャフト部材１６２の端部に設けられる当接部材１６４と、略鉛直方向に昇降移動可能な昇降移動部材１６６と、昇降移動部材１６６を昇降させるように案内する昇降案内部１６８と、一端が風車１２６の支持軸１２６ａに巻回可能に固定されるワイヤ１７０と、を備える。
【００５２】
シャフト部材１６２は、一端が遊技盤１２０の前面側の遊技領域１０２ａに有する一対の可動片１６０の基端部１６０ｂに連結させて固定され、他端が遊技盤１０２の裏面側に突出され、遊技盤１０２に対して回動自在に軸支されている。これらのシャフト部材１６２の他端側には、シャフト部材１６２を回動させて可動片１６０の開閉動作を行わせる略三角形状の当接部材１６４がシャフト部材１６２に連結されて固定されている。また、当接部材１６４には、図６に示すように、可動片１６０を略鉛直方向に起立させるためのバランス調整用の錘部材１６４ａが設けられている。
【００５３】
昇降移動部材１６６は、昇降案内部１６８によって、略鉛直方向に昇降移動可能とし、上昇移動した際に一対のシャフト部材１６２の間を通過して、当接部材１６４と当接した際に、図５に示すように、シャフト部材１６２を介して、チューリップ１２０の可動片１６０を略逆ハの字状に上側が開くように開放させる。このように、シャフト部材１６２間を通過するように、昇降移動部材１６６を上昇移動させて可動片１６０の開放動作を実現可能とするには、昇降移動部材１６６の幅方向の大きさは、双方のシャフト部材１６２の間隔より小さく、かつ当接部材１６４と当接可能な大きさを有することを要する。
【００５４】
昇降移動部材１６６は、図５に示すように、上昇移動させた際に、ワイヤ１７０の他端を固定するワイヤ固定部１８０に引っ掛からないようにするために、図４に示すように、上部断面が略コの字型に、下部断面がワイヤ１７０を挿通する孔部となる中空１６６Ａ（ 図７（ｂ）参照 ）が形成されている。また、昇降移動部材１６６は、チューリップ１２０が開放していない通常時には、図４に示すように、昇降移動部材１６６の昇降移動の下方向の下降動作を規制するための最下点規制部材となるストッパ１７２によって、支持されている。
【００５５】
昇降案内部１６８は、チューリップ１２０の可動片１６０の開閉動作を作用させる昇降移動部材１６６を昇降させるように案内する機能を有する手段である。昇降案内部１６８は、図４に示すように、ガイド溝１７４と、支軸部１７６と、綱状部材係合部となるワイヤ係合部１７８と、を備える。ガイド溝１７４は、遊技盤１０２の裏面側に形成されたスリット状の溝であって、昇降移動部材１６６の昇降移動範囲を規制し、ガイド溝１７４に対して略鉛直方向、すなわち略水平方向に突出するようにして設けられた支軸部１７６が当該ガイド溝１７４に沿って昇降移動する。
【００５６】
また、支軸部１７６の先端側には、ワイヤ１７０の一定方向への移動を可能とした状態でワイヤ１７０の両端間の一部に係合する綱状部材係合部となるワイヤ係合部１７８が設けられ、支軸部１７６のガイド溝１７４に沿っての昇降移動に連動して、ワイヤ係合部１７８が昇降移動する。ワイヤ係合部１７８には、図４に示すように、昇降移動部材１６６を支持する支持面１７８ａにワイヤ１７０を円滑に通す所定の大きさの孔部１７８ｂが設けられ、ワイヤ固定部１８０で他端が固定されたワイヤ１７０が孔部１７８ｂを貫通して、ワイヤ係合部１７８の下側外周面１７８ｃにワイヤ１７０の一定方向への円滑な移動が可能な状態で支持されている。このように、本実施の形態では、昇降移動するワイヤ係合部１７８に昇降移動部材１６６が支持されることによって、当該昇降移動部材１６６が昇降移動するようになる。なお、図４に示す本実施の形態のワイヤ係合部１７８は、昇降移動部材１６６を支持する支持面１７８ａにワイヤ１７０を円滑に通す所定の大きさの孔部１７８ｂが設けられている構成のものであるが、昇降移動するワイヤ係合部１７８に昇降移動部材１６６が支持されることによって、当該昇降移動部材１６６が昇降移動する構成となっていれば、図４に示す構成に限定されない。例えば、後述の図７（ｂ）に示すような昇降移動部材１６６の下部断面側にワイヤ１７０を挿通する孔部となる中空１６６Ａを設ける一方、昇降移動部材１６６と当接して、当該昇降移動部材１６６を支持して昇降移動させるワイヤ係合部１７８は、ワイヤ１７０の一定方向への円滑な移動が可能な状態で支持する下側外周面１７８ｃが形成される略円柱形状のものであり、図４に示すような支持面１７８ａや孔部１７８ｂが一体形成されていない構成としてもよい。
【００５７】
ワイヤ１７０は、風車１２６の支持軸１２６ａの遊技盤１０２の裏面側に突出される裏面側端部に有するワイヤ巻き取り部１２６ａ1に一端が巻回可能に固定され、他端が昇降案内部１６８による上昇移動の上限を規制する上限規制点となるガイド溝１７４の最上位点１７４ａより少なくとも上側に位置するワイヤ固定部１８０によって固定されている。そして、ワイヤ１７０の両端間の一部が昇降案内部１６８のワイヤ係合部１７８に係合し、ワイヤ１７０の風車１２６の支持軸１２６ａのワイヤ巻き取り部１２６ａ1への巻き取り状態に連動して、昇降移動部材１６６が昇降移動するようになる。本実施の形態では、ワイヤ巻き取り部１２６ａ1とワイヤ固定部１８０との間を結ぶ綱状部材として、ワイヤが使用されているが、軽量で所定の大きさの張力に耐え得る強度を有する綱状部材であれば、例えば、ナイロン等を含む釣り糸等を代用することも可能である。なお、本実施の形態では、遊技領域１０２ａに設けられる複数の風車１２６のうちの何れか１つがパチンコ球の衝突によって回転してチューリップ１２０の開閉動作の契機を付与する風車となる。
【００５８】
このように、本実施の形態では、遊技領域１０２ａを流下するパチンコ球が風車１２６に衝突した際に生じる風車１２６の回転動作に連動して、ワイヤ１７０が巻き取られて、当該ワイヤ１７０の途中の一部が係合するワイヤ係合部１７８が上昇し、上昇移動した当該ワイヤ係合部１７８に備わる支持面１７８ａが昇降移動部材１６６と当接して、昇降移動部材１６６が当該支持面１７８ａに支持されるようになって、昇降移動部材１６６が上昇移動する。そして、上昇移動した当該昇降移動部材１６６がシャフト部材１６４の他端で連結される当接部材１６４と当接することによって、図５に示すように、シャフト部材１６４の一端に連結、固定されている可動片１６０が略逆ハの字状に上側が開放されて、始動入賞口１１６にパチンコ球が入賞し易い開状態となる。なお、昇降移動部材１６６を上昇させるためには、風車１２６には、立て続けに、若しくは同時に、複数のパチンコ球が衝突して、所定方向にのみ回転させると共に、風車１２６が所定の大きさ以上の回転速度になって、所定の大きさの回転トルクを発生させることが必要とされる。
【００５９】
チューリップ１２０の可動片１６０が開放した後に、遊技領域１０２ａを流下する後続のパチンコ球が風車１２６に衝突しない場合には、風車１２６の回転トルクが弱まって風車１２６の回転が止まり、反対に、昇降移動部材１６６の重力のよって、昇降移動部材１６６がワイヤ係合部１７８を押し下げる。そして、昇降移動部材１６６が当接部材１６４と当接しない状態になると、図４に示すように、可動片１６０が略鉛直方向に起立して、始動入賞口１１６にパチンコ球が入賞し難い閉状態となる。なお、昇降移動部材１６６は、所定の位置より下に下降しないようにするために、遊技盤１０２の裏面側には、ストッパ１７２が起立して設けられている。
【００６０】
また、風車１２６にパチンコ球が当たらないことによって、風車１２６の回転トルクが弱まって風車１２６が回転しなくなったときには、昇降移動部材１６６が重力によって確実に下降するようにするために、昇降移動部材１６６、または昇降案内部１６８のワイヤ係合部１７８の少なくとも何れか一方に、重量を調整するための不図示の錘部材が着脱可能な構成としてもよい。このように、風車１２６が回転しないときに、昇降移動部材１６６が重力で確実に下降することによって、開放されたチューリップ１２０の可動片１６０が開放されたままの状態となることを事前に防止出来るようになる。
【００６１】
さらに、図６に示すように、風車１２６の上部側に風車１２６に向かってパチンコ球Ｐ１０が流下する経路を遮断するシャッタ部材１２７を設けてもよい。このシャッタ部材１２７は、始動口センサ１４１による始動入賞口１１６への入賞の検知に連動させて、遊技盤１０２の内側に設けられ、制御部１４０で制御されるシャッタ駆動部１２９が経路を遮断しない位置（図６に示す実線部）から遮断する位置（図６に示す二点鎖線部）にシャッタ部材１２７を一時的に駆動させることによって、昇降移動部材１６６を確実に下降させられる期間を設けるようにする。
【００６２】
また、本実施の形態では、風車１２６の支持軸１２６ａのワイヤ巻き取り部１２６ａ1に巻き取られるワイヤ１７０の一端から、ワイヤ係合部１７８の下端側を掛止する部位となる下側外周面１７８ｃまでの間に、ワイヤ１７０の張力を維持するための張力調整部材となるプーリ１８２が複数設けられている。
【００６３】
このように、プーリ１８２を設けることによって、ワイヤ１７０が途中で弛むことなく、所定の大きさの張力が維持されるようになる。このため、風車１２６の回転力が昇降案内部１６８のワイヤ係合部１７８を介して、確実に昇降移動部材１６６に伝達されて、非電動式によるチューリップ１２０の開閉動作が確実に実行されるようになる。
【００６４】
次に、本実施の形態のパチンコ機に備わる可動片開閉装置となるチューリップの動作機構の詳細について図面を使用しながら説明する。図７（ａ）は、本実施の形態における可動片開閉装置となるチューリップの動作機構の詳細を説明するための動作説明図であり、（ｂ）は、図７（ａ）のα方向から見た平面図であり、図８は、本実施の形態におけるチューリップを開放させた際の動作機構の詳細を説明するための動作説明図である。
【００６５】
前述したように、本実施の形態のチューリップ１２０は、昇降案内部１６８のワイヤ係合部１７８の昇降動作に連動して昇降移動部材１６６が昇降移動した際に、当該昇降移動部材１６６のシャフト部材１６２の当接部材１６４への当接の有無により、可動片１６４を開閉動作させる非電動式の可動片開閉装置である。そして、昇降移動部材１６６は、一対のシャフト部材１６２間を通過するように上昇移動可能とし、シャフト部材１６２の一端に連結される可動片１６０は、昇降移動部材１６６と当接部材１６４が当接していない状態時には、図７に示すように、略鉛直方向に起立して閉状態となっている。
【００６６】
このとき、ワイヤ係合部１７８は、図７（ａ）に示すように、昇降移動の昇降動作範囲を規制するガイド溝１７４の下方向の下降動作を規制する最下位点１７４ｂより下に移動しないようになっている。一方、昇降移動部材１６６は、昇降移動の下方向の下降動作を規制するための最下点規制部材となるストッパ１７２に支持されている。当該ストッパ１７２は、図７（ａ）に示すように、ガイド溝１７４の最下位点１７４ｂより上側に位置している。
【００６７】
パチンコ球が風車１２６に衝突すると、当該衝突の際に生じる風車１２６の回転動作に連動して、ワイヤ１７０が風車１２６の支持軸１２６ａの裏面側端部１２６ａ1に巻き取られる。そして、巻き取られるワイヤ１７０の両端側に有する裏面側端部１２６ａ1とワイヤ固定部１８０との間に有するワイヤ１７０の一部に係合するワイヤ係合部１７８が支軸部１７６を介して、ガイド溝１７４に沿って上昇移動する。
【００６８】
その後、上昇移動したワイヤ係合部１７８が昇降移動部材１６６に当接すると、昇降移動部材１６６は、ワイヤ係合部１７８に支持されながら上昇移動する。そして、昇降移動部材１６６の先端１６６ａがシャフト部材１６２の他端に設けられた当接部材１６４と当接すると、シャフト部材１６２を介して、図８に示すように、チューリップ１２０の可動片１６０が開放する。
【００６９】
本実施の形態では、昇降移動部材１６６は、昇降移動方向（鉛直方向）に所定の長さを有する構造であるので、風車１２６が一定方向(図８における右回り方向)の回転を維持している場合は、昇降移動部材１６６の先端１６６ａが当接部材１６４に当接してから所定時間、昇降移動部材１６６が当接部材１６４に当接した状態となる。このため、可動片１６０が当該所定時間の間は、開放された状態を維持し、より安定した可動片１６０の開放状態となる。
【００７０】
風車１２６の回転トルクが弱まって、風車１２６の回転方向（Ａ方向）が反対方向（図８における左回り方向）となるように、遊技領域１０２ａを流下したパチンコ球が風車１２６に衝突して、回転方向が反対になった場合には、風車１２６の支持軸１２６ａの裏面側端部１２６ａ1に巻き取られていたワイヤ１７０が巻き戻される。そして、ワイヤ１７０の両端側に有する裏面側端部１２６ａ1とワイヤ固定部１８０との間の長さが大きくなり、巻き戻されたワイヤ１７０の長さ分、昇降移動部材１６６の自重によって、ワイヤ係合部１７８が下降移動するようになる。その後、昇降移動部材１６６の先端１６６ａが当接部材１６４から離れた際に、シャフト部材１６２を介して、可動片１６０が閉じるようになる。
【００７１】
また、前述したように、可動片１６０の開放後に、後続のパチンコ球が風車１２６に衝突しない場合には、風車１２６の回転トルクが弱まって風車１２６の回転が止まり、風車１２６の回転方向が反対となった場合と同様にして、昇降移動部材１６６の重力のよって、昇降移動部材１６６がワイヤ係合部１７８を押し下げる。そして、昇降移動部材１６６が当接部材１６４と当接しない状態になると、図７（ａ）に示すように、可動片１６０が略鉛直方向に起立して、始動入賞口１１６にパチンコ球が入賞し難い閉状態となる。
【００７２】
このように、パチンコ球が風車１２６に衝突した際に生じる風車１２６の回転動作に連動して、昇降移動部材１６６が昇降動作するためには、ワイヤ１７０が風車１２６の支持軸１２６ａの裏面側端部１２６ａ1に巻き取られることが必要となる。このため、裏面側端部１２６ａ1は、鉛直方向に対して、ガイド溝１７４の最上位点１７４ａより上位側に位置すること、すなわち、裏面側端部１２６ａ1から水平方向（図８におけるＸ方向）に対して、ガイド溝１７４の最上位点１７４ａまでのワイヤ１７０となす角度θが図７において右回り０度以上の大きさであることが好ましい。
【００７３】
また、上述した第１の実施の形態では、昇降移動部材１６６は、断面が略コの字型の筐体部材であり、昇降案内部１６８のワイヤ係合部１７８に当接して支持されることによって昇降移動されるように、ワイヤ係合部１７８と別体の構成となっているが、ワイヤ係合部１７８と一体型の構成とすることも可能である。例えば、風車１２６の回転動作によってワイヤ１７０が巻き取られることに連動して昇降移動するワイヤ係合部に該当する部材の上面側の両端部にシャフト部材１６２の当接部材１６４と当接可能な棒状部材をそれぞれ連結して、略Ｕ字型の昇降移動部材としても良い。
【００７４】
以上説明したように、本発明の遊技機に備わる可動片開閉装置となるチューリップは、パチンコ球が風車に当接した際に生じる風車の回転動作に連動して、可動片の開閉動作を実行する非電動式のメカ式チューリップとなる。このため、従来の電動式チューリップのように、可動片の開閉動作の電気的な制御が不要となる。すなわち、チューリップにソレノイドや計数センサ等を含めない構成とすることが可能となり、チューリップのサイズをコンパクトにし、パチンコ機の設計の自由度の確保した上で、製造コストや遊技を維持するための消費電力等のランニングコストを抑制出来るようになる。
【００７５】
また、遊技領域に設けられる風車は、パチンコ球の衝突の有無により、頻繁に風車の回転速度や回転方向が変更されるので、当該変更に伴って、可動片の開閉によって入賞口の入賞率を変更するチューリップの開閉状態も変更されるようになる。このため、チューリップの可動片の開閉動作の変化に、意外性、非予測性、変化を付与することによって、入賞口への入賞率を変更できるので、遊技の単純化が抑制されて、遊技者の興味が削がれてしまうのを防止して、遊技性の向上が見込まれる。
【００７６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７７】
例えば、上記の説明では、所謂セブン機（第１種）を例として本発明の実施の形態を示したが、入層口への入賞率を変更する可動片開閉装置となるチューリップと風車を遊技盤の遊技領域に備えるパチンコ機であれば、セブン機以外のパチンコ機、例えば、羽根物（第２種）、権利物（第３種）等においても、本発明を実施できる。
【００７８】
また、前述した第１の実施の形態では、チューリップは、始動入賞口の開口部側に設けられているが、通常入賞口等の他の入賞口の入賞率を変更するために、当該他の入賞口に本実施の形態の可動片開閉装置を適用しても良い。
【００７９】
さらに、前述した第１の実施の形態では、可動片開閉装置は、一対の可動片を開閉自在とするチューリップ形式の装置であるが、昇降移動部材の上昇移動によって、可動片が開閉可能な構成とすれば、例えば、１つの可動片で入賞口の開口部を開閉するような可動片開閉装置に適用することも可能である。
【図面の簡単な説明】
【００８０】
【図１】本発明の第１の実施の形態における弾球遊技機の外観を示す斜視図である。
【図２】同実施の形態の弾球遊技機の遊技盤を示す正面図である。
【図３】同実施の形態のパチンコ機の各種機能および遊技を制御する電気制御系の一例を示すブロック図である。
【図４】同実施の形態におけるチューリップの概略構成および動作機構を説明するために、遊技盤の裏面側から見た斜視図である。
【図５】同実施の形態におけるチューリップを開放させた際の動作機構を説明するために、遊技盤の裏面側から見た斜視図である。
【図６】同実施の形態の風車およびチューリップを設けた遊技領域の要部の部分的な断面図である。
【図７】（ａ）は、同実施の形態の可動片開閉装置となるチューリップの動作機構の詳細を説明するための動作説明図であり、チューリップが閉じた状態を示す図であり、（ｂ）は、図７（ａ）のα方向から見た平面図である。
【図８】同実施の形態のチューリップを開放させた際の動作機構の詳細を説明するための動作説明図である。
【符号の説明】
【００８１】
１００      遊技機（パチンコ機）
１０２      遊技盤
１０２ａ    遊技領域
１１６      入賞口（始動入賞口）
１２０      可動片開閉装置（チューリップ）
１２６      風車
１２６ａ    支持軸
１２６ａ1   裏面側端部（ワイヤ巻き取り部）
１６０      可動片
１６２      シャフト部材
１６４      当接部材
１６６      昇降移動部材
１６８      昇降案内部
１７０      綱状部材（ワイヤ）
１７４      ガイド溝
１７４ａ    上限規制点
１７６      支持軸
１７８      綱状部材係合部（ワイヤ係合部）
１８２      張力調整部材（プーリ）
【図１】
2009045107.tif 000003
【図２】
2009045107.tif 000004
【図３】
2009045107.tif 000005
【図４】
2009045107.tif 000006
【図５】
2009045107.tif 000007
【図６】
2009045107.tif 000008
【図７】
2009045107.tif 000009
【図８】
2009045107.tif 000010